(57)【要約】【課題】フード付衣料品のフードに限らず、タートルネック付衣料品のタートルネックについても、風を通して早く乾かすことのできるようにした多機能型のハンガーを提供する。【解決手段】竿または紐に掛けることのできるフック３を持つ支持軸部１と、この支持軸部１の下端軸受部１ｂに回動可能に軸支され直立姿勢と上向きの傾斜姿勢をとることのできる枠体からなる掛け具２とを備え、ハンガー本体７を掛けることのできる補助フック部８，９を支持軸部１の一部に設け、掛け具２の上枠２ａの左右両端からその両側枠２ｃ，２ｄの脇に沿って下方に延びるクリップ部１０を設ける。【選択図】図１
0003112096.tif 000002
【実用新案登録請求の範囲】
【請求項１】
竿または紐に掛けることのできるフックを持つ支持軸部と、この支持軸部の下端部に設けられた軸受部に回動可能に軸支され直立姿勢と上向きの傾斜姿勢をとることのできる枠体からなる掛け具とを備え、ハンガー本体を掛けることのできる補助フック部を支持軸部の一部に設け、掛け具の上部からその両側枠の脇に沿って下方に延び、掛け具の側枠に対し常時押し当てられる突起を有するクリップ部を設けてなることを特徴とする多機能ハンガー。
【請求項２】
クリップ部の、掛け具の側枠に対し常時押し当てられる突起を、クリップ部の上下の少なくとも２箇所に設けたことを特徴とする請求項１記載の多機能ハンガー。  
【請求項３】
クリップ部は、掛け具の上枠の左右両端から弾性屈曲部を介して両側枠の脇に沿って下方に延びることを特徴とする請求項１または請求項２記載の多機能ハンガー。  
【請求項４】
掛け具の上枠を左右両側から逆Ｕ字形にそれぞれ曲げるとともにその下端どうしを水平に連結してなることを特徴とする請求項１ないし請求項３記載の多機能ハンガー。
【請求項５】
掛け具の上枠または支持軸部のいずれか一方に、掛け具の直立姿勢において、掛け具の上枠と支持軸部どうしが干渉する場合にそれを避ける凹部を設けてなることを特徴とする請求項１ないし請求項４記載の多機能ハンガー。
【考案の詳細な説明】
【技術分野】
【０００１】
本考案は、フード付衣料品やタートルネック付衣料品を洗濯して干す際に用いられる多機能型のハンガーに関する。
【背景技術】
【０００２】
パーカーなどのフード付衣料品を洗濯して通常の衣類用ハンガーに吊るすと、フードの後頭部の部分が後ろ身頃の首に近い部分に接触して、風が通らず乾きにくいという問題があった。この問題を解決する一つの手段として、フック部を有するハンガー本体の中央にその上方に延びるフード掛け部を取り付けるようにした衣料用ハンガーが知られている（特許文献１）。
【０００３】
また、洋服の本体を掛けるためのハンガー本体とは別に、フードを掛けるための略リング状の部分を組合わせた衣料用ハンガーも知られている（特許文献２）。
【０００４】
【特許文献１】実開平６−３２９３号公報
【特許文献２】特開２０００−３００４１７号公報
【考案の開示】
【考案が解決しようとする課題】
【０００５】
しかしながら、上記の衣料用ハンガーによると、いずれの場合も、パーカーなどのフード付衣料品を干す際に使われる専用品として位置付けられるもので、フード付衣料品以外の用途には使いにくいものである。フード付衣料品のように、後頭部の部分が後ろ身頃の首に近い部分に接触して、風が通らず乾きにくいという問題がある衣料品として、首から上に延びる丸襟を折り返すタートルネック付の衣料品等があるが、上記の衣料用ハンガーは、タートルネック付衣料品を干すには使いにくいものである。
【０００６】
本考案は上記問題点に鑑みてなされたもので、フード付衣料品のフードに限らず、タートルネック付衣料品のタートルネックについても、風を通して早く乾かすことのできるようにした多機能型のハンガーを提供することを目的とする。
【課題を解決するための手段】
【０００７】
上記課題を解決するために、本考案の請求項１に係る多機能ハンガーは、竿または紐に掛けることのできるフックを持つ支持軸部と、この支持軸部の下端部に設けられた軸受部に回動可能に軸支され直立姿勢と上向きの傾斜姿勢をとることのできる枠体からなる掛け具とを備え、ハンガー本体を掛けることのできる補助フック部を支持軸部の一部に設け、掛け具の上部から両側枠の脇に沿って下方へ延び、掛け具の側枠に対し常時押し当てられる突起を有するクリップ部を設けてなることを特徴とする。
【０００８】
パーカーなどのフード付衣料品を洗濯後に干す場合、ハンガー本体を支持軸部の補助フック部に掛けて使用する。掛け具は支持軸部に対し上向きの傾斜姿勢をとり、この姿勢でフードを掛け具に掛ける。フードは上に持ち上げられ、掛け具の傾斜姿勢により拡げられる。この状態で支持軸部のフックを竿または紐に掛けてフード付衣料品を干す。
【０００９】
タートルネック付衣料品を干す場合、ハンガー本体を支持軸部の補助フック部に掛けて使用する。掛け具は支持軸部に対し同じ角度の直立姿勢をとり、この姿勢でタートルネックを内側の掛け具の両側枠と外側の左右のクリップ部とで挟んで保持する。タートルネックはクリップ部により上に持ち上げられる。この状態で支持軸部のフックを竿または紐に掛けてタートルネック付衣料品を干す。
【００１０】
フード付衣料品、タートルネック付衣料品いずれの場合であっても、フードあるいはタートルネックが上に持ち上げられるから、風通しが良くなり、早く乾かすことができる。
【００１１】
本考案の請求項２に係る多機能ハンガーは、クリップ部の、掛け具に常時押し当てられる突起を、クリップ部の上下の少なくとも２箇所に設けたことを特徴とする。
【００１２】
タートルネックの上下２箇所をクリップ部の２箇所の突起で挟むことにより、保持がより確実になる。また、上の方の突起でタートルネックを保持するようにする一方、下の方の突起でタートルネック付衣料よりも襟の高さが低いハイネック付衣料のハイネックを保持するようにし、フード付、タートルネック付、ハイネック付の計３種類の衣料品に対応することもできる。
【００１３】
本考案の請求項３に係る多機能ハンガーは、クリップ部が、掛け具の上枠の左右両端から弾性屈曲部を介して両側枠の脇に沿って下方に延びることを特徴とする。  
【００１４】
クリップ部を弾性屈曲部を介して外側へ広げることができるので、タートルネックを容易に掛け具の側枠とクリップ部との間に挟むことができる。
【００１５】
本考案の請求項４に係る多機能ハンガーは、掛け具の上枠を左右両側から逆Ｕ字形にそれぞれ曲げるとともにその下端どうしを水平に連結してなることを特徴とする。
【００１６】
掛け具の上枠の左右両側からの逆Ｕ字部分に靴をそれぞれ干すことができるので、使い勝手がより一層増すことになる。
【００１７】
本考案の請求項５に係る多機能ハンガーは、掛け具の上枠または支持軸部のいずれか一方に、掛け具の直立姿勢において、掛け具の上枠と支持軸部どうしが干渉する場合にそれを避ける凹部を設けてなることを特徴とする。
【００１８】
タートルネックを干す場合、掛け具の上枠または支持軸部のいずれか一方に凹部を設けて、掛け具の直立姿勢において、掛け具の上枠と支持軸部どうしが干渉する場合にそれを避けながら、掛け具の直立姿勢でタートルネックを干すことができる。
【考案の効果】
【００１９】
以上説明したように、本考案によると、フード付衣料品のフードに限らず、タートルネック付衣料品のタートルネックについても、風を通して早く乾かすことができる多機能ハンガーを提供することができる。
【考案を実施するための最良の形態】
【００２０】
本考案を実施するための最良の形態につき、図１ないし図５を参照して説明する。
本考案の多機能ハンガーは、図１に示すように、支持軸部１と、枠体からなる掛け具２とから構成されている。
【００２１】
支持軸部１は、図２に示す竿１１に掛けることのできるフック３を上端に持つ棒状部材で、支持軸部１の上端軸受部１ａにフック３のフック本体４の軸部４ａが垂直軸回りに回動自在に軸支されている。フック３は、フック本体４に対しフック片５が開閉可能とされ、フック片５のレバー５ａによってフック片５を開き動作できるようになっている。
【００２２】
掛け具２は、図３に示すように、フード付衣料のフードを掛けて干すことができる大きさの略四角形の枠体であり、上枠２ａと下枠２ｂと左右の側枠２ｃ，２ｄとからなる。この掛け具２は、支持軸部１に対し、支持軸部１と同一平面内の直立姿勢と、この直立姿勢から図２の時計回りに約３０度回動した傾斜姿勢Ｓを取ることができる。この掛け具２の下枠２ｂの水平軸部２ｅが支持軸部１の下端軸受部１ｂに水平軸回りに回動可能に軸支されるとともに、下端軸受部１ｂから支持軸部１に対し下向き３０度後方に傾斜して延びるストッパー６の係止片６ａが、図２に示す掛け具２の３０度回動後の傾斜姿勢で、掛け具２の下枠２ｂの係止部２ｆに係合し、それ以上の回動を阻止するようになっている。
【００２３】
支持軸部１には図２に示すハンガー本体７の吊り部７ａを掛けることのできる補助フック部として２箇所に、すなわちストッパー６のさらに下方に補助フック部８が、水平軸受部２ｅ上方に補助フック部９が、それぞれ設けられている。
【００２４】
掛け具２の上枠２ａの左右両端からは弾性屈曲部１０ａ，１０ａを介して側枠２ｃ，２ｄの脇に沿って垂直下方へ向けて延びるクリップ部１０，１０がそれぞれ設けられている。各クリップ部１０の内面には上下方向に２箇所（下端位置と中間位置）、掛け具２の側枠２ｃ，２ｄへ向けて常時押し当てられる突起１０ｂ，１０ｃが設けられている。
【００２５】
また、掛け具２の上枠２ａの左右両端からは内方に延びて逆Ｕ字形に下方に曲がって延びる逆Ｕ字部２ｇ，２ｇがそれぞれ設けられ、この逆Ｕ字部２ｇ，２ｇには靴を掛けて干すことができるようになっている。さらに、各逆Ｕ字部２ｇ，２ｇの下端からは内方へ向けて水平に曲がって延びる水平部２ｈが設けられ、この水平部２ｈのちょうど真ん中には、掛け具２の直立姿勢において、支持軸部１との干渉を避ける凹部２ｉが設けられている。なお、各逆Ｕ字部２ｇとそれぞれに相対する側枠２ｃ，２ｄとの間は水平補強部２ｊによって連結されている。
【００２６】
以上のように構成された多機能ハンガーの使用形態を次に説明する。図３はフード付衣料を掛けている状態を示している。図３において、フード付衣料１２の衣料本体がハンガー本体７に掛けられ、フード１３が四角い掛け具２の全体に掛けられている。掛け具２は支持軸部１に対し約３０度後方へ傾斜しており、フード１３を上に持ち上げると同時にフード１３を拡げる役目をしている。
【００２７】
図４はタートルネック付衣料を掛けている状態を示している。図４において、タートルネック付衣料１４の衣料本体がハンガー本体７に掛けられ、タートルネック１５が内側の掛け具２の側枠２ｃ，２ｄと、外側のクリップ部１０，１０の上下の突起１０ｂ，１０ｃとの間の上下２箇所で保持されている。掛け具２は支持軸部１に対し同一角度の直立姿勢とされ、タートルネック１５を上に持ち上げている。
【００２８】
図５はハイネック付衣料を掛けている状態を示している。図５において、ハイネック付衣料１６のハイネック１７が内側の掛け具２の側枠２ｃ，２ｄと、外側のクリップ部１０，１０の下方の突起１０ｃ，１０ｃとの間の左右２箇所で保持されている。
【００２９】
上記実施形態の掛け具２は、上枠２ａがフード１３の形状に適合するように上向きに湾曲する形状をしてもよい。また、上枠２ａに凹所を数箇所設けて、靴を掛けるようにしてもよい。
【００３０】
また、上記実施形態の掛け具２の側枠２ｃ，２ｄには、クリップ部１０の突起１０ｂ，１０ｃに係合する突起を設けるようにしてもよい。
【００３１】
また、上記実施形態の掛け具２の上枠２ａの水平部分２ｈの凹部２ｉは、支持軸部１側に設けるようにしてもよい。
【００３２】
さらに、上記実施形態の支持軸部１のフック３の形状は、開閉式でなく、鉤形の形状をするものであってもよい。
【産業上の利用可能性】
【００３３】
本考案の多機能ハンガーは、フード付衣料や、タートルネック付衣料、ハイネック付衣料を干して乾かすのに有効利用することができる。
【図面の簡単な説明】
【００３４】
【図１】本考案の多機能ハンガーを示す斜視図、
【図２】同多機能ハンガーを示す側面図、
【図３】同多機能ハンガーの使用状態を示す図、
【図４】同多機能ハンガーの使用状態を示す図、
【図５】同多機能ハンガーの使用状態を示す図である。
【符号の説明】
【００３５】
１  支持軸部
１ａ  上端軸受部
１ｂ  下端軸受部
２  掛け具
２ａ  上枠
２ｂ  下枠
２ｃ，２ｄ  側枠
２ｅ  水平軸部
２ｆ  係止部
２ｇ  逆Ｕ字部
２ｈ  水平部
２ｉ  凹部
２ｊ  水平補強部
３  フック
３ａ  軸部
４  フック本体
５  フック片
５ａ  レバー
６  ストッパー
６ａ  係止片
７  ハンガー本体
７ａ  吊り部
８，９  補助フック部
１０  クリップ部
１０ａ  弾性屈曲部
１０ｂ，１０ｃ  突起
１１  竿
１２  フード付衣料
１３  フード
１４  タートルネック付衣料
１５  タートルネック
１６  ハイネック付衣料
１７  ハイネック
【図１】
0003112096.tif 000003
【図２】
0003112096.tif 000004
【図３】
0003112096.tif 000005
【図４】
0003112096.tif 000006
【図５】
0003112096.tif 000007